(57)【要約】【課題】  ハンマーで叩かれる奥框付木の振動に起因した打鍵音の発生を抑制することができる電子鍵盤楽器を提供する。【解決手段】  電子グランドピアノ（電子鍵盤楽器）は、ハンマー６Ａに叩かれる奥框付木７を支持する奥框８を有する。さらに、電子グランドピアノは、フレーム１に固着された一端と奥框８に固着された他端とを有する連結部９を有する。連結部９は、一端と他端との間の少なくとも１つの断面全体を含む部分が粘弾性材料を用いて形成されている。【選択図】        図３
2005258189.tif 000002
【特許請求の範囲】
【請求項１】
ハンマーに叩かれる付木を支持する奥框をフレーム内に有する電子鍵盤楽器において、
前記フレームに固着された一端と前記奥框に固着された他端とを有する連結部を備え、
前記連結部は、前記一端と前記他端との間の少なくとも１つの断面全体を含む部分が粘弾性材料を用いて形成されている
ことを特徴とする電子鍵盤楽器。
【請求項２】
前記フレームは前記連結部を用いて前記奥框を前記フレームから離間させて支持している
ことを特徴とする請求項１に記載の電子鍵盤楽器。
【請求項３】
前記付木よりも剛性の高い部材を前記付木に固着させた
ことを特徴とする請求項１に記載の電子鍵盤楽器。
【請求項４】
前記付木よりも比重の大きい部材を前記付木に固着させた
ことを特徴とする請求項１に記載の電子鍵盤楽器。
【請求項５】
屋根が開閉自在に取り付けられたフレーム内にスピーカを有する電子鍵盤楽器において、
前記屋根と前記スピーカとの間に位置する板状の中蓋と、
前記フレームに固着された一端と前記中蓋に固着された他端とを有する連結部とを備え、
前記連結部は、前記一端と前記他端との間の少なくとも１つの断面全体を含む部分が粘弾性材料を用いて形成されている
ことを特徴とする電子鍵盤楽器。
【請求項６】
前記フレームは前記連結部を用いて前記中蓋を前記フレームから離間させて支持している
ことを特徴とする請求項５に記載の電子鍵盤楽器。
【請求項７】
前記板は複数の層材が積層されてなり、前記複数の層材の少なくとも１つは弾性材料を用いて形成されている
ことを特徴とする請求項５に記載の電子鍵盤楽器。
【発明の詳細な説明】
【技術分野】
【０００１】
本発明は、鍵盤楽器の打鍵音を低減する技術に関する。
【背景技術】
【０００２】
電子鍵盤楽器の中にはアクション機構を備えた電子グランドピアノがある。この種の電子グランドピアノは弦を備えておらず、打鍵時には、ハンマーが奥框付木を叩き、スピーカが打鍵強度に応じた音量の楽音（演奏音）を出力する。ハンマーが奥框付木を叩くと奥框付木が振動して打鍵音が生じるが、その時にはスピーカから楽音が出力されているから、この打鍵音が演奏者の周囲に居る人の気に障ることはない。
【０００３】
ところで、この種の電子グランドピアノは、通常、ヘッドホン端子を備えている。演奏者が、このヘッドホン端子にヘッドホンを繋いで電子グランドピアノを弾くと、スピーカではなく、ヘッドホンから楽音が出力される。この状況下では、周囲の人には楽音が聞こえないから、上記の打鍵音が際立って聞こえる。このような状況下で周囲の人に聞こえる打鍵音はノイズになり得る。よって、このような打鍵音の低減が望まれる。
【０００４】
打鍵音を低減する技術としては、特許文献１〜４に開示の技術が挙げられる。
特許文献１には、鍵盤の下側に位置する棚板を、粘弾層を含む複数の層材を積層して構成することにより、棚板から発生する押鍵時の打撃音を低減する技術が開示されている。
特許文献２には鍵盤と棚板との間に防振材を配することにより、特許文献３にはアクション機構と棚板との間に防振材を配することにより、棚板に伝わる打鍵振動を低減する技術が開示されている。
特許文献４には、比重が大きく剛性が高い心材を用いて棚板を構成することにより、棚板の振動を抑える技術が開示されている。
【特許文献１】特開平１０−１４３１３９号公報
【特許文献２】特開２００３−８４７５５号公報
【特許文献３】特開平０９−９７０８２号公報
【特許文献４】特開平０９−２６９７６７号公報
【発明の開示】
【発明が解決しようとする課題】
【０００５】
ところで、電子グランドピアノにおける奥框付木の振動に起因した打鍵音の主な音源の１つは中蓋である。中蓋は、スピーカ等の部品を隠すためにフレーム内に設けられる蓋である。奥框付木の振動は、奥框付木が取り付けられた奥框と奥框を支えるフレームを介して中蓋へ伝わる。そして、中蓋が振動して打鍵音が放射される。このことから明らかなように、奥框付木の振動に起因した打鍵音の発生を抑えるには、奥框付木、奥框、フレーム、及び中蓋の少なくとも１つの振動を抑制する必要がある。
しかし、上述の各技術により振動が抑制されるのは棚板のみであるから、これらの技術を電子グランドピアノに適用しても、奥框付木の振動に起因した打鍵音の発生を抑制することはできない。
本発明は上述した事情に鑑みて為されたものであり、奥框付木の振動に起因した打鍵音の発生を抑制することができる電子鍵盤楽器を提供することを目的としている。
【課題を解決するための手段】
【０００６】
本発明は、ハンマーに叩かれる付木を支持する奥框をフレーム内に有する電子鍵盤楽器において、前記フレームに固着された一端と前記奥框に固着された他端とを有する連結部を備え、前記連結部は、前記一端と前記他端との間の少なくとも１つの断面全体を含む部分が粘弾性材料を用いて形成されていることを特徴とする電子鍵盤楽器を提供する。
この電子鍵盤楽器では、奥框からフレームに伝わる振動が連結部により減衰される。したがって、奥框からフレーム経由で中蓋へ伝わる振動は小さくなる。よって、この電子鍵盤楽器によれば、奥框付木の振動に起因した打鍵音の発生を抑制することができる。
【０００７】
また、本発明は、屋根が開閉自在に取り付けられたフレーム内にスピーカを有する電子鍵盤楽器において、前記屋根と前記スピーカとの間に位置する板状の中蓋と、前記フレームに固着された一端と前記中蓋に固着された他端とを有する連結部とを備え、前記連結部は、前記一端と前記他端との間の少なくとも１つの断面全体を含む部分が粘弾性材料を用いて形成されていることを特徴とする電子鍵盤楽器を提供する。
この電子鍵盤楽器では、フレームから中蓋に伝わる振動が連結部により減衰される。したがって、奥框付木からフレーム経由で中蓋へ伝わる振動は小さくなる。よって、この電子鍵盤楽器によれば、奥框付木の振動に起因した打鍵音の発生を抑制することができる。
【発明を実施するための最良の形態】
【０００８】
以下、図面を参照して、本発明の実施形態について説明する。
図１は各実施形態に係る電子グランドピアノ（電子鍵盤楽器）の外観を示す斜視図である。この図に示す電子グランドピアノは、ピアノ本体の側面、底面および裏面を形成するフレーム１と、フレーム１を支える３本の支柱２と、フレーム１の側面部の上端に開閉自在に取り付けられた屋根３と、鍵盤を含むアクションが載せられた棚板４と、ピアノ本体の前面に開閉自在に取り付けられた鍵盤蓋５とを有する。また、フレーム１内には、屋根３が開けられてもスピーカ等の部品が剥き出しにならないように中蓋が取り付けられており、この中蓋より下側の位置には、ハンマーに叩かれる奥框付木と奥框付木を支持する奥框が存在する。
【０００９】
次に、この電子グランドピアノの内部構成について説明する。ただし、内部構成は奥框付木の振動に起因した打鍵音の発生を抑制する方法によって異なる。抑制方法は２つに大別されるため、以下では、奥框付木の振動と奥框からフレーム１への振動伝達とを抑制する方法を採る第１実施形態と、フレーム１から中蓋への振動伝達と中蓋の振動とを抑制する方法を採る第２実施形態とに分けて、電子グランドピアノの内部構成について説明する。
【００１０】
［第１実施形態］
図２は本発明の第１実施形態に係る電子グランドピアノの一部の構成を示す上面図である。この図には、フレーム１と、鍵盤を含むアクション６と、鍵盤の長手方向に延存している四角柱状の奥框付木７と、奥框付木７の１つの側面が固着された四角柱状の奥框８と、奥框８とフレーム１とを連結している２つの連結部９とが示されている。ただし、フレーム１については裏面部および側面部のみが図示されている。この図から明らかなように、奥框８はフレーム１に対して梁の役目を果たしており、その一端はフレームの一方の側面部に接する一方の連結部９に接し、他端はフレーム１の他方の側面部に接する他方の連結部９に接している。また、フレーム１は２つの連結部９のみを用いて奥框を支持しており、奥框８に接している部材は奥框付木７と連結部９のみである。
【００１１】
図３は連結部９付近を拡大して示す分解斜視図である。
奥框付木７はハンマー６Ａに叩かれる四角柱状の付木本体７Ａと断面Ｌ字状の金属板７Ｂとを有する。この金属板７Ｂは付木本体７Ａよりも剛性が高く、かつ比重が大きい。ただし、金属板７Ｂの重さや厚さは、ピアノ全体の仕様に適合する範囲内に制限されている。この金属板７Ｂは付木本体７Ａの上面および正面を覆うように付木本体７Ａに固着されている。この固着の方法は任意であり、例えば、ビス止めであっても接着であってもよい。また、ビス止めの場合には、そのビスを奥框８まで打ち込み、奥框付木７と奥框８との固着に利用してもよい。
【００１２】
上述のように、本実施形態では、付木本体７Ａには金属板７Ｂが固着されているため、奥框付木７の剛性は付木本体７Ａの剛性よりも高くなっている。また、奥框付木７の重さは同一サイズの付木本体の重さよりも重くなっている。よって、アクション６のハンマー６Ａが付木本体７Ａを叩いたときの奥框付木７の振動は、金属板を備えていない奥框付木を叩いた場合の振動に比較して小さくなる。
【００１３】
図に示すように、奥框８の一端とフレーム１とを連結する一方の連結部９は、粘弾層９Ａを２枚の金属板９Ｂで挟み込んだ積層構造を採っている。粘弾層９Ａはゴム等の粘弾性材料のみから形成されており、粘弾層９Ａを積層方向に直交する面で切断すると、その断面には粘弾性材料のみが露出する。金属板９Ｂは円盤状をしており、その一方の端面が粘弾層に接着されている。金属板９Ｂの他方の端面にはボルト９Ｃが形成されている。両ボルト９Ｃ，９Ｃは積層方向に沿って外部へ立ち上がって形成されており、両者の軸は一致している。つまり、連結部９は、両ボルト９Ｃ，９Ｃに逆回りの力が加わると粘弾層９Ａがせん断変形するように構成されている。なお、粘弾性材料とは粘性および弾性を有する材料であり、粘弾層９Ａは外力により変形する際に生じる抵抗力により振動を吸収する。本実施形態における連結部９は、２５０Ｈｚ付近の帯域の振動を十分に吸収可能な特性を持っている。
【００１４】
奥框８の一端には一方のボルト９Ｃと螺合する孔部８Ａが設けられている。この孔部８Ａは奥框８の長手方向に略平行な軸を持つ円柱状の孔を形成しており、この孔の開口は奥框８の一端の端面に設けられている。一方、フレーム１には、他方のボルト９Ｃと螺合する孔部１Ａが設けられている。この孔部１Ａは奥框８の孔部８Ａが形成している孔と同一の軸を持つ略円柱状の孔を形成しており、この孔の開口は奥框８の一端の端面に対向する位置に設けられている。連結部９の一方のボルト９Ｃを奥框８の孔に差し込み、かつ他方のボルト９Ｃをフレーム１の孔に差し込むことにより、奥框８とフレーム１を連結部９により連結する。これと同様に、奥框８の他端においては他方の連結部９により奥框８とフレーム１を連結する。
【００１５】
アクション６のハンマー６Ａが付木本体７Ａを叩いたときの奥框付木７の振動は奥框８に伝わるが、上述のように、本実施形態では奥框８とフレーム１は離間しており、奥框８からフレーム１への振動伝達経路には連結部９が存在している。奥框８の一端に着目すると、奥框８の振動は連結部９の一方の金属板９Ｂに伝わり、連結部９の粘弾層９Ａを変形させるが、粘弾層９Ａはこの際に生じる抵抗力により振動を吸収する。これと同様のことが奥框８の他端でも起こる。よって、奥框を直接的にフレームに固着した場合に比較して、奥框８からフレーム１に伝わる振動を小さくすることができる。
【００１６】
以上説明したように、本実施形態によれば、連結部９を用いることにより奥框８からフレーム１に伝わる振動が小さくなるから、奥框付木７の振動がフレーム１に伝わり難くなる。この結果、奥框付木７の振動がフレーム１に取り付けられた中蓋に伝わり難くなり、奥框付木７の振動に起因した打鍵音の発生を抑制することができる。さらに、本実施形態によれば、金属板７Ａを用いることにより奥框付木７の振動が小さくなるから、奥框付木７の振動に起因した打鍵音の発生を、より一層、抑制することができる。
また、本実施形態によれば、フレーム１に伝わる振動を低減することができるから、中蓋に限らず、フレーム１に取り付けられた各種部材が音源となる打鍵音の発生を抑制することができる。
【００１７】
なお、本実施形態を変形し、金属板９Ｂを持たない通常の奥框付木を用いるようにしてもよい。
また、本実施形態では、奥框の一端および他端とフレーム１との間に連結部９を介在させ、奥框の支持が必ず連結部９を用いて行われるようにしたが、奥框の一端が直接的にフレーム１と接するようにしてもよい。このような態様であっても、奥框の他端とフレーム１との間に連結部９が介在するから、奥框の一端および他端が直接的にフレーム１と接する一般的な態様に比較して、奥框付木７の振動がフレーム１に伝わり難くなる。
【００１８】
［第２実施形態］
図４は本発明の第２実施形態に係る電子グランドピアノの一部の構成を示す上面図である。この図には、フレーム１と、鍵盤を含むアクション６と、楽音放音用の穴が形成された中蓋１０と、中蓋１０の穴越しに見えるスピーカ１１とが示されている。フレーム１の上端部には内側よりも外側が高くなるように段差が設けられており、中蓋１０はその周縁とフレーム１の外側部分の内側面とが離間するようにフレーム１の内側部分に取り付けられている。
【００１９】
図５は図４におけるＡ−Ａ断面から電子グランドピアノの一部を眺めた分解斜視図である。この図に示すように、中蓋１０は連結部１２とナット１３とを用いてフレーム１に取り付けられている。連結部１２は図３における連結部９と同様の構造を有する。フレーム１の内側部分の上部には連結部１２の一方のボルト１２Ｃと螺合する孔部１Ｂが設けられている。この孔部１Ｂは鉛直方向に延びる円柱状の孔を形成しており、この孔の開口はフレーム１の内側部分の上面に設けられている。この孔に連結部１２の一方のボルト１２Ｃを差し込むことにより、連結部１２がフレーム１に固定されている。一方、中蓋１０には鉛直方向に延びる円柱状の貫通孔が形成されており、この貫通孔に連結部１２の他方のボルト１２Ｃを差し込み、貫通孔から突き出した先端に、当該ボルト１２Ｃに螺合するナット１３を取り付けることにより、中蓋１０が連結部１２に固定されている。
このような固定が中蓋１０の周縁部の複数箇所で行われている。つまり、フレーム１は複数の連結部１２を用いて中蓋１０を支持している。
【００２０】
上述のように、フレーム１から中蓋１０への振動伝達経路には連結部１２が存在している。したがって、アクションのハンマー６Ａに叩かれた奥框付木の振動がフレーム１に伝わると、フレーム１の振動が連結部１２の一方の金属板１２Ｃに伝わり、連結部１２の粘弾層１２Ａを変形させるが、粘弾層１２Ａはこの際に生じる抵抗力により振動を吸収する。これと同様のことが他の連結部１２でも起こる。よって、中蓋１０をフレーム１が直接的に支持する場合に比較して、フレーム１から中蓋１０に伝わる振動を小さくすることができる。
【００２１】
また、本実施形態では、３つの層材を積層させて中蓋１０を構成している。１番目の層材は一般的な中蓋本体１０Ａである。２番目の層材は弾性シート１０Ｂである。弾性シート１０Ｂは弾性材料を用いて構成されており、中蓋本体１０Ａに、その上面を覆うように接着されている。３番目の層材は防音材１０Ｃである。防音材１０Ｃはウレタン等の、吸音性または遮音性が高く、連結部１２よりも弾性の低い材料から形成されている。防音材１０Ｃは中蓋本体１０Ａの底面に接着されており、その高さは連結部１２の層部分の高さ以上となっている。
【００２２】
図６は中蓋１０の底面図である。
この図に示すように、防音材１０Ｃは中蓋１０の底面の周縁部に接着されている。ただし、周縁部において、連結部１２の金属板１２Ｂが当接する部分には防音材１０Ｃが設けられていない。よって、組み立て時には、中蓋本体１０Ａとフレーム１と連結部１２とが形成する隙間に防音材１０Ｃが充填されることになる。
【００２３】
上述のように、中蓋本体１０Ａには弾性シート１０Ｂが接着されているから、アクション６のハンマー６Ａに叩かれた奥框付木の振動がフレーム１経由で中蓋１０に伝わっても、中蓋１０の振動を、中蓋本体に弾性シートを接着しない場合の中蓋の振動よりも小さくすることができる。
また、上述のように、中蓋本体１０Ａとフレーム１と連結部１２とが形成する隙間が防音材１０Ｃで塞がれているから、アクション６のハンマー６Ａに叩かれた奥框付木の振動に起因した打鍵音がフレーム１内から外部へ漏洩し難くなる。
【００２４】
以上説明したように、本実施形態によれば、奥框付木の振動に起因した中蓋１０の振動が小さくなるから、奥框付木の振動に起因した打鍵音の発生を抑制することができる。また、奥框付木の振動に起因した打鍵音が外部へ漏洩し難くなるから、奥框付木の振動に起因した打鍵音が低減される。
また、本実施形態によれば、中蓋１０およびその周囲から放射される音を低減することができるから、奥框付木の振動に起因した打鍵音に限らず、各種の打鍵音の放射を抑制することができる。
【００２５】
なお、本実施形態を変形し、中蓋１０から防音材１０Ｃや弾性シート１０Ｂを取り去った構成としてもよい。
また、本実施形態では、中蓋１０の支持が必ず連結部１２を用いて行われるようにしたが、一部の支持が連結部１２を用いずに行われるようにしてもよい。この場合でも、全ての支持が連結部１２を用いずに直接的に行われる場合に比較して、フレーム１の振動が中蓋１０に伝わり難くなる。
もちろん、上述した第１実施形態および第２実施形態を組み合わせて、より一層の打鍵音低減を図ってもよい。
【図面の簡単な説明】
【００２６】
【図１】本発明の実施形態に係る電子グランドピアノの外観を示す斜視図である。
【図２】本発明の第１実施形態に係る電子グランドピアノの一部の構成を示す上面図である。
【図３】同電子グランドピアノにおける連結部付近を拡大して示す分解斜視図である。
【図４】本発明の第２実施形態に係る電子グランドピアノの一部の構成を示す上面図である。
【図５】図４におけるＡ−Ａ断面から電子グランドピアノの一部を眺めた分解斜視図である。
【図６】同電子グランドピアノの中蓋の底面図である。
【符号の説明】
【００２７】
１…フレーム、３…屋根、６…アクション、６Ａ…ハンマー、７…奥框付木、８…奥框、９，１２…連結部、９Ａ，１２Ａ…粘弾層、９Ｂ，１２Ｂ…金属板、９Ｃ，１２Ｃ…ボルト、１０…中蓋、１０Ａ…中蓋本体、１０Ｂ…弾性シート、１０Ｃ…防音材、１１…スピーカ。
【図１】
2005258189.tif 000003
【図２】
2005258189.tif 000004
【図３】
2005258189.tif 000005
【図４】
2005258189.tif 000006
【図５】
2005258189.tif 000007
【図６】
2005258189.tif 000008